(57)【要約】【課題】  異なるサイズの基板を取り付けることのできるようにする。【解決手段】  複数の鍵をそれぞれ揺動可能に支持すると共に弾性スイッチを搭載した基板を保持するフレームは、ボス部と前記ボス部と離間した位置に突設した係止片とを有する。基板は、前記フレームのボス部に対向する箇所に螺子通し穴を、前記フレームの係止片に対向する箇所に開口部をそれぞれ有する。基板をフレームに取り付ける際には、前記フレームのボス部に対して前記螺子通し穴から通した螺子を螺合させると共に、前記基板の開口部から前記フレームの係止片を突出させて、前記基板の開口縁部を係止させる。開口部を貫通する係止片による開口縁部の係止により、サイズの異なる基板において同じ箇所に開口部及び螺子通し穴を設けておくだけで、異なるサイズの基板であってもフレームの構造を変えることなく取り付けることができるようになる。【選択図】        図１
2007010974.tif 000002
【特許請求の範囲】
【請求項１】
複数の鍵と、前記各鍵の動作状態に応じてスイッチングされるスイッチを搭載した基板と、前記複数の鍵をそれぞれ揺動可能に支持すると共に前記基板を保持するフレームとを具えた電子鍵盤楽器において、
前記フレームは、ボス部と前記ボス部と離間した位置に突設した係止片とを有し、前記基板は、前記フレームのボス部に対向する箇所に螺子通し穴を、前記フレームの係止片に対向する箇所に開口部をそれぞれ有してなり、
前記フレームのボス部に対して前記螺子通し穴から通した螺子を螺合させる際に、前記基板の開口部から前記フレームの係止片を突出させて、前記基板の開口縁部を係止させることを特徴とする電子鍵盤楽器における基板取付構造。
【請求項２】
前記基板の開口部は、基板の膨張・縮小方向に一致する方向が直線状の幅広形状に形成されており、前記前記フレームの係止片は該直線状の幅広形状に形成された開口縁部を係止することを特徴とする請求項１に記載の電子鍵盤楽器における基板取付構造。
【請求項３】
前記フレームは突設した位置決め片を有してなり、該位置決め片によって基板の取り付け位置を特定することを特徴とする請求項１又は２に記載の電子鍵盤楽器における基板取付構造。
【発明の詳細な説明】
【技術分野】
【０００１】
本発明は、電子鍵盤楽器において、鍵盤操作を検出するキースイッチを有する基板をフレームに取り付けるための基板取付構造に関するものであり、特に異なるサイズの基板を取り付けることのできる電子鍵盤楽器における基板取付構造に関する。
【背景技術】
【０００２】
電子ピアノやシンセサイザーといった電子鍵盤楽器は鍵盤型の演奏操作子を具えており、各鍵に対する押鍵動作を検出することによって所定の演奏信号を生成して楽音を発音する。一般的に、電子鍵盤楽器においては、弾性型の操作子スイッチ（キースイッチとも呼ぶ）や各種の電子部品等が実装されているプリント基板（回路基板）を、鍵盤全体を囲むケースを兼ねうるフレームの適宜の位置に取り付けておき、該プリント基板上に設けられているキースイッチによって、各鍵に対する押鍵動作等を検出することのできるようにしている。これに関連するものとして、例えば下記に示す特許文献１に記載の装置などがある。
【特許文献１】特開平9-198037号公報
【０００３】
電子鍵盤楽器における上記プリント基板の取付構造について従来から知られている取付構造の一例を、図４に示す。図４は、従来から知られた電子鍵盤楽器におけるプリント基板の取付構造の一例を示す概念図である。図４（ａ）は鍵盤の全体構成を示した縦断側面図であり、図４（ｂ）はフレーム取り付け時のプリント基板を示した上面図である。ただし、図４（ｂ）では図示を簡略化するために、実際には縦列に重ね合わされるように配置されているプリント基板Ｐと鍵Ｋとを便宜的に分けて図示している。また、プリント基板に搭載されている電子部品やプリント基板上にプリントされているプリント配線パターンなどについては、それらの図示を省略している。
【０００４】
この図４から理解できるように、鍵盤全体を囲むケースを形成する上下に分離可能なフレームのうち、鍵下に位置するフレームＦ（又は下ケース）には、略Ｌ字形状をした弾性変形型の係止片Ａと、前記係止片Ａと対をなす支持部材Ｃと、螺子孔を有するボス部Ｂとがそれぞれ鍵Ｋのある上向きに突設されている。他方、プリント基板Ｐ（回路基板）には、プリント基板Ｐを貫通する貫通孔である螺子通し孔Ｎａが設けられている。該プリント基板ＰをフレームＦに取り付けるには、まず係止片Ａと支持部材Ｃとの間にプリント基板Ｐの先端部（側縁部）ＰＳを押し込む。支持部材Ｃの上端面Ｃａは係止片Ａの係止爪Ａａと対向する位置にあって、この係止片Ａの係止爪Ａａと支持部材Ｃの上端面Ｃａとの間の距離は取り付け対象のプリント基板Ｐの板厚より僅かに小さい距離が確保されるように形成されており、これにより係止片Ａの係止爪Ａａと支持部材Ｃとの間に挿入されたプリント基板Ｐの先端部ＰＳを挟持することのできるようにしている。また、プリント基板Ｐの先端部ＰＳを挟持させた状態では係止片Ａの弾性変形による反発力が図４（ａ）において左方向に働くが、この状態のままで前記係止片Ａにより狭持された先端部ＰＳとは反対側の側縁部に近い位置に形成されている螺子通し孔Ｎａに対して、プリント基板Ｐの上面からねじ（螺子）Ｎを通してボス部Ｂにねじ止めする。このように、係止片Ａの弾性変形による反発力がかかった状態のままでねじ止めすることによって、当該プリント基板ＰをフレームＦに頑強に固定することのできるようにしている。
【０００５】
支持部材Ｃとボス部Ｂとはその上端面がそれぞれ同じ高さとなるように形成されており、プリント基板Ｐをその有するキースイッチＫＳが鍵Ｋに対する押鍵操作に応じた回動動作により垂直方向から力がかかるようにしてフレームＦに取り付けられる。すなわち、キースイッチＫＳは各鍵Ｋ毎に対応するようにして設けられているものであって、各鍵Ｋに対する押鍵操作に応じて各キースイッチＫＳの接点部（図示せず）が鍵下に配置されているプリント基板Ｐ上の所定の導電パターンによる固定接点である基板接点部Ｓと接触し、このキースイッチＫＳの接点部とプリント基板Ｐ上の基板接点部Ｓとが接触することによってスイッチング動作が行われ、これに基づき所定の演奏信号を生成することのできるようになっている。以上のように、この実施例に示すような従来知られたプリント基板の取付構造によれば、離間した２箇所でのプリント基板Ｐの先端部ＰＳの挟持及び離間した２箇所のねじ止めによる計４点の保持により、プリント基板ＰをフレームＦに対して固定的に取り付けるようにしている。
【発明の開示】
【発明が解決しようとする課題】
【０００６】
上述したように、従来から知られた電子鍵盤楽器におけるフレームに対するプリント基板Ｐ（回路基板）の取付構造は、プリント基板ＰをフレームＦに固定する際にプリント基板Ｐの一端の先端部ＰＳを挟持する構造となっている。ところで、こうした取付構造の場合に、プリント基板Ｐの縦方向のサイズや形状等を変更するなどの設計変更を行う際には、プリント基板Ｐが係止片Ａにかからなくなったり、あるいはプリント基板Ｐの螺子通し孔Ｎａとボス部Ｂの螺子孔とが一致しないことが生じないように、プリント基板Ｐのサイズ変更にあわせて係止片Ａ及び支持部材Ｃ（又はボス部Ｂ）の配置位置を変更するなどのフレームＦ自体の構造をも見直ししなければならない。例えば、図４（ａ）に示すように、プリント基板Ｐのサイズ変更にあわせて、係止片Ａ及び支持部材Ｃの配置位置を図の右側（矢印Ｘ方向）に配置しなおした構造としなければならない（図中において点線表示した係止片Ａ´及び支持部材Ｃ´参照）。しかし、プリント基板Ｐのサイズ毎にフレームＦを用意するのは無駄であり、またフレームＦ自体の構造変更にはコストと時間がかかる。このように、従来から知られた電子鍵盤楽器におけるプリント基板（回路基板）の取付構造は、取り付けるプリント基板のサイズが予め決められた１つのサイズのみにしか適用できずに、サイズの異なるプリント基板を取り付けできない取付構造であって、プリント基板のサイズ変更を伴うような設計変更を容易に行うことのできない、所謂汎用性のまったくない取付構造であった。そこで、サイズの異なるどのような形状のプリント基板であってもフレームに取り付けることのできるプリント基板の取付構造が望まれていたが、そうした取付構造は従来なかった。
【０００７】
本発明は上述の点に鑑みてなされたもので、異なるサイズのプリント基板（回路基板）を取り付けることのできる、汎用性ある電子鍵盤楽器における基板取付構造を提供しようとするものである。
【課題を解決するための手段】
【０００８】
本発明に係る電子鍵盤楽器における基板の取付構造は、複数の鍵と、前記各鍵の動作状態に応じてスイッチングされるスイッチを搭載した基板と、前記複数の鍵をそれぞれ揺動可能に支持すると共に前記基板を保持するフレームとを具えた電子鍵盤楽器において、前記フレームは、ボス部と前記ボス部と離間した位置に突設した係止片とを有し、前記基板は、前記フレームのボス部に対向する箇所に螺子通し穴を、前記フレームの係止片に対向する箇所に開口部をそれぞれ有してなり、前記フレームのボス部に対して前記螺子通し穴から通した螺子を螺合させる際に、前記基板の開口部から前記フレームの係止片を突出させて、前記基板の開口縁部を係止させることを特徴とする。
【０００９】
この発明によると、複数の鍵をそれぞれ揺動可能に支持すると共に、前記各鍵の動作状態に応じてスイッチングされるスイッチを搭載した基板を保持するフレームは、ボス部と前記ボス部と離間した位置に突設した係止片とを有する。一方、前記基板は、前記フレームのボス部に対向する箇所に螺子通し穴を、前記フレームの係止片に対向する箇所に開口部をそれぞれ有する。こうした基板をフレームに取り付ける際には、前記フレームのボス部に対して前記螺子通し穴から通した螺子を螺合させると共に、前記基板の開口部から前記フレームの係止片を突出させて、前記基板の開口縁部を係止させる。すなわち、螺子及び基板内に設けた開口部を貫通する係止片による前記開口縁部の係止により、フレームに基板を固定的に取り付ける。こうすることにより、サイズの異なる基板において同じ箇所に開口部及び螺子通し穴を設けておくだけで、異なるサイズの基板であってもフレームの構造を変えることなく取り付けることができるようになる。
【発明の効果】
【００１０】
この発明によれば、基板に貫通孔である係止片止め開口部を設けておき、該係止片止め開口部にフレームに設けられた係止片を通して該係止片止め開口部の開口縁部を係止させるようにしたので、異なるサイズの基板でも交換して取り付けることが容易にできるようになる、という優れた効果が得られる。
【発明を実施するための最良の形態】
【００１１】
以下、添付図面を参照しながらこの発明を詳細に説明する。
【００１２】
まず、本発明に係る電子鍵盤楽器におけるプリント基板（回路基板）の取付構造について、図１を用いて説明する。図１は、本発明に係る電子鍵盤楽器におけるプリント基板（回路基板）の取付構造の一実施例を示した概念図である。図１（ａ）は電子鍵盤楽器における鍵盤の全体構成を示した縦断側面図であり、図１（ｂ）はフレームに取り付けた状態にあるプリント基板を示した上面図である。ただし、図１（ｂ）においても図示を簡略化するために、実際には縦列に重ね合わされるように配置されているプリント基板Ｐと鍵Ｋとを便宜的に分けて図示している。なお、図１において、既に説明済みである従来知られた電子鍵盤楽器におけるプリント基板の取付構造と同様の要素には、図４に付した符号と同符号を付記している。
【００１３】
図１から理解できるように、この実施例に示すプリント基板Ｐには螺子通し孔Ｎａの他に、従来（図４参照）にはなかったプリント基板Ｐを貫通する所定形状の貫通孔である係止片止め開口部Ｈが、前記螺子通し孔Ｎａと離間した位置に設けられている。勿論、係止片止め開口部Ｈを形成する位置は、電子回路やプリント配線パターンのない位置であることは言うまでもない。一方、フレームＦは既に説明済みの従来（図４参照）と同様の構成であって、略Ｌ字形状をした弾性変形型の係止片Ａと、前記係止片Ａと対をなす支持部材Ｃと、螺子孔を有する略円柱状のボス部Ｂとが、上記プリント基板Ｐに設けた係止片止め開口部Ｈ又は螺子通し孔Ｎａの位置にそれぞれあわせるようにして、鍵Ｋのある上向きに突設されている。前記プリント基板Ｐを該フレームＦに取り付けるには、係止片Ａに対してプリント基板Ｐの先端部（側縁部）ＰＳを押し込むのではなく、係止片Ａをプリント基板Ｐの係止片止め開口部Ｈに通して、該係止片止め開口部Ｈの縁部（開口縁部）を係止片Ａと支持部材Ｃとの間で挟持させるようにする。すなわち、この実施例においては、支持部材Ｃの上端面Ｃａは係止片Ａの係止爪Ａａと対向する位置にあって、この係止片Ａの係止爪Ａａと支持部材Ｃの上端面Ｃａとの間の距離は取り付け対象のプリント基板Ｐの板厚より僅かに小さい距離が確保されるように形成されており、これにより係止片Ａの係止爪Ａａと支持部材Ｃとの間に挿入されたプリント基板Ｐの係止片止め開口部Ｈの縁部を挟持（係止）するようにしている。例えば、係止片Ａは、プリント基板Ｐの係止片止め開口部Ｈの縁部に設けられた所定の係止位置に対して係止爪Ａａを引っ掛けるフックタイプであってよい。
【００１４】
こうしたプリント基板Ｐの係止片止め開口部Ｈの開口縁部を挟持（係止）させた状態では、係止片Ａの弾性変形による反発力が図１（ａ）において左方向に働くが、この状態のままで前記係止片Ａにより狭持された係止片止め開口部Ｈの縁部の直線延長上であるプリント基板Ｐの端部に近い位置に形成されている螺子通し孔Ｎａに対して、プリント基板Ｐの上面からねじ（螺子）Ｎを通してボス部Ｂにねじ止めする。このように、プリント基板Ｐに設けられた係止片止め開口部Ｈを係止片Ａと支持部材Ｃとにより挟持させ、さらに係止片Ａの弾性変形による反発力がかかった状態のままでねじ止めすることによって、プリント基板ＰをフレームＦに完全に固定する。
【００１５】
ここで、前記係止片止め開口部Ｈにおける前記係止片Ａにより挟持される箇所の形状としては、長手方向（図１（ａ）においては図面垂直方向、図１（ｂ）においては図面左右方向）に対し平行な直線部を所定の長さだけ設けた形状に形成するとよい。一般的に、プリント基板ＰとフレームＦとは異なる材質で形成されており、プリント基板ＰとフレームＦとは熱収縮率が異なることから、温度変化によって係止片Ａにより挟持される位置がずれてしまうことが生ずる。そうした場合に、前記係止片止め開口部Ｈと係止片Ａとのクリアランスが小さいと上記ずれが生じずにプリント基板Ｐと係止片Ａが干渉してしまい、それによる歪みがたまることで、係止片Ａやプリント基板Ｐそのものを破損してしまったり、あるいは係止片Ａがプリント基板Ｐから外れてしまう。そこで、こうしたことを防止するために、熱膨張・熱収縮の影響が最も強く現れやすい長手方向に対して、平行な直線部を所定区間設けた形状とする。この直線部に係止片Ａで挟持させることで、長手方向のずれに関係なく常に短手方向（図１（ａ）においては図面左右方向、図１（ｂ）においては図面上下方向）の位置決めを確保しながら、さらに長手方向のクリアランスを確保することもできるようになる。
【００１６】
以上のように、本発明に係る電子鍵盤楽器における基板（回路基板）の取付構造は、プリント基板Ｐ内に貫通孔である係止片止め開口部Ｈを設けておき、該係止片止め開口部Ｈに対してフレームＦに設けられた係止片Ａを通して係止片止め開口部Ｈの縁部を係止させるようにしたものである。このように、プリント基板Ｐ内に係止片止め開口部Ｈを設けて、該係止片止め開口部Ｈの縁部を挟持させるようにすると、例えば図１に示すように矢印Ｘ方向にサイズを延長したサイズの異なるプリント基板Ｐであっても、サイズに関わらずプリント基板Ｐ上の同じ位置に係止片止め開口部Ｈ（及び螺子通し孔Ｎａ）を設けておくだけで、フレームＦに取り付けることができるようになる。したがって、プリント基板Ｐの設計変更の自由度が高まるし、また他の電子鍵盤楽器との間において同じプリント基板Ｐを用いるプリント基板の共通化を図ることなども容易にできるようになる。
また、プリント基板Ｐ内に貫通孔である係止片止め開口部Ｈを設けて該係止片止め開口部Ｈの縁部を係止させるようにしたことで、プリント基板Ｐの先端部（側縁部）ＰＳからプリント基板Ｐ内に入り込む形の切り欠き（図示せず）を設けることに比べて、プリント基板Ｐの先端部（側縁部）ＰＳから係止片止め開口部Ｈまでにおけるプリント基板Ｐ上に電子部品や配線パターンなどを載せることができる。つまり、プリント基板Ｐ上により多くの部品を搭載することができ有利である。
【００１７】
上記したように、プリント基板Ｐ内に設けられる係止片止め開口部Ｈ又は螺子通し孔Ｎａの位置にあわせるようにして、フレームＦに係止部Ａ及び支持部材Ｃ、ボス部Ｂがそれぞれ配置されるので、図４に示したような従来知られた取付構造と比べると、同じサイズのプリント基板Ｐである場合には、係止部Ａ及び支持部材Ｃの配置位置からボス部Ｂの配置位置までの配置間隔を狭くするように構成することができる。例えば、係止部Ａ及び支持部材Ｃとボス部ＢとをキースイッチＫＳ付近に集中的に配置することができるようになる。このキースイッチＫＳ付近には押鍵に従い鍵Ｋからの力が最も大きくかかる箇所であり、それに伴い撓みや歪みなどが生じ易い箇所である。すなわち、押鍵に応じて、鍵Ｋは回動支点Ｚを中心にしてプリント基板Ｐに向かって矢印Ｙ方向に回動する。鍵Ｋを押す力が増して所定の力以上になると、弾性型のキースイッチＫＳはプリント基板Ｐ上の所定の導電パターンによる基板接点部Ｓとの接触を開始する。このキースイッチＫＳがプリント基板Ｐ上の所定の導電パターンによる基板接点部Ｓと接触するとスイッチオン状態となり、所定の楽音発音機構（図示せず）を動作させて楽音の発音を開始する。
【００１８】
この際に、鍵を押す力が増すにつれて鍵Ｋは強くキースイッチＫＳを押すことになるので、それに伴いプリント基板Ｐに対して強い力が働く。しかし、所定の力以上で鍵Ｋを押さない限り、弾性型のキースイッチＫＳ（弾性スイッチ）がプリント基板Ｐ上の所定の導電パターンによる基板接点部Ｓと接触して楽音の発音が開始されないので、ある程度の強い力を必要とする。そこで、こうした押鍵時に係る強い力に対抗して撓みや歪みなどが生じないようにプリント基板Ｐに支えるために、プリント基板Ｐを下から支える支持部材Ｃやボス部ＢをキースイッチＫＳの付近に集中的に配置するとよい。すなわち、押鍵に従い上からの力が最も大きくかかる箇所であるキースイッチＫＳ付近に、支持部材Ｃ（それに伴い係止部Ａも）とボス部Ｂを配置することにより、押鍵時にかかる強い力に対抗しうるようにプリント基板Ｐを支えて撓みや歪みの発生を防止することができるようになる、という利点もある。
【００１９】
さらに、プリント基板ＰをフレームＦに固定するための係止片Ａ、支持部材Ｃ、ボス部Ｂなどの基板の締結部材を、図１（ｂ）に示すように、白鍵の隣りあう位置に配置するようにしている。これにより、係止片Ａ及び支持部材Ｃによる係止片止め開口部Ｈの縁部の挟持やねじ止めの際に、係止片ＡやねじＮが基板接点部Ｓと干渉することなくプリント基板ＰをフレームＦに固定させることができるようにしている。すなわち、白鍵と黒鍵とが隣りあう箇所では基板接点部Ｓが密に存在しており、当該箇所に前記基板の締結部材を配置すると、これらの締結部材が基板接点部Ｓに干渉してしまい、正しくキースイッチＫＳが動作せずに鍵Ｋに対する押鍵動作等を検出することができなくなる。そこで、本発明に係るプリント基板の取付構造においては、白鍵の隣りあう位置に基板の締結部材、つまり係止片Ａ及び支持部材Ｃとボス部Ｂなどを配置することで、基板接点部Ｓとの干渉を回避するようにしている。なお、基板の締結部材としては上記のものに限らず、リベットによるもの等であってよい。
【００２０】
上述したように、本発明に係るプリント基板の取付構造では、プリント基板Ｐ内に係止用の貫通孔（係止片止め開口部Ｈ）を設けて、該係止片止め開口部ＨにフレームＦに設けられた係止片Ａを通して係止片止め開口部Ｈの端面に係止させるようになっているが、こうした係止用の貫通孔（係止片止め開口部Ｈ）の他に、基板配置位置を特定する位置決め用の貫通孔（これを位置決め孔と呼ぶ）をプリント基板Ｐ内に設けるようにしてもよい。図２は、位置決め孔を設けたプリント基板の一実施例を示す上面図である。
【００２１】
図２に示すプリント基板Ｐにおいては、その略中央部に、係止用の貫通孔である係止片止め開口部Ｈとは異なる、位置決め用の貫通孔である位置決め孔Ｉが形成してある。この位置決め孔Ｉは左右の適宜の位置（上記したように白鍵が隣りあう位置）に配置された係止片止め開口部Ｈを結んだ軸線上であって、またプリント基板Ｐの長手方向において両端からほぼ等距離の略中央部の位置に形成されており、その開口サイズはフレームＦ側において当該プリント基板Ｐを取り付けた際の対応する位置に設けられている位置決め片ＩＡが通過可能な、位置決め片ＩＡの先端部とほぼ同程度のサイズに形成されている。つまり、プリント基板Ｐの中央部辺りでは両端部に比べて熱などによる膨張・伸縮の程度が小さく、基板の取り付け時における開口部の余裕（所謂クリアランス）が小さくてもあまり影響を受けないので、熱膨張や熱伸縮によるプリント基板Ｐや位置決め片ＩＡの破損の心配はない。また、プリント基板Ｐを支えるバランス的にも略中央部に形成しておくのがよい。こうしたクリアランスの小さい位置決め孔Ｉをプリント基板Ｐ内の少なくとも１箇所だけにでも形成しておくと、該プリント基板ＰをフレームＦに取り付ける際に、前記位置決め孔Ｉに位置決め片ＩＡを通すだけで、係止片止め開口部Ｈに係止片Ａを通して挟持させることができる。つまり、プリント基板ＰをフレームＦの正しい位置に容易に取り付けることができるようになる。
なお、前記位置決め片ＩＡによって前記位置決め孔Ｉの縁部を挟持（係止）するように構成してもよいことは言うまでもない。
【００２２】
ところで、プリント基板Ｐのサイズが例えば図１に示したサイズより、演奏者側を延長したより大きいサイズであるような場合には、フレームＦ側に設けられるボス部Ｂなどの締結部材がより演奏者側に近い位置に配置されることがある（後述する図３参照）。こうした場合には、押鍵時にかかる外力等によるフレームＦの変形につられてボス部Ｂの位置がずれてしまう。そうすると、プリント基板Ｐに設けられているキースイッチＫＳの位置が鍵Ｋに対する当初の位置からずれてしまうので、こうしたキースイッチＫＳの位置ずれにより発音タイミングがずれたり、最悪の場合には楽音の発音自体がなされなくなるなどといった発音不良を引き起こす。そこで、こうしたボス部Ｂの位置ずれを防止するために、後述する図３に示すように、変形の少ない公知のリブＲにボス部Ｂを一体的に形成することによって、プリント基板Ｐの固定位置を安定させるようにするとよい。このリブＲは所定厚さの板状であり、３〜４鍵毎、半オクターブ毎、あるいは１オクターブ毎など、鍵の並び方向に離間して複数形成されているものである。
【００２３】
図３は、ボス部をフレームのリブに一体的に構成した場合の鍵盤の全体構成を示した概念図である。図３（ａ）は縦断側面図であり、図３（ｂ）は正面図である。図３に示すように、鍵盤の短手方向（図３（ａ）においては図面左右方向、図３（ｂ）においては図面垂直方向）に延びるようにして設置されている公知のリブＲの側面あるいは端面等に、ボス部Ｂを一体形成する。このように、ボス部ＢをフレームＦのリブＲに一体的に構成することにより、リブＲの存在していない箇所にボス部Ｂを設けることに比べて、ボス部Ｂの位置にずれが生じないように固定位置を安定させて支持することができるようになる。また、ボス部ＢをフレームＦのリブＲに一体的に構成すると、ボス部Ｂ自体の強度を上げることもできる。
【００２４】
なお、上述した各実施例では説明を理解しやすくするために、鍵Ｋ自体が直下に配置されたプリント基板Ｐ上のキースイッチＫＳを動作するものを示したがこれに限らず、公知の鍵盤の動作機構(例えば、鍵に連動して回動するアクチュエータなど)の動作に応じてキースイッチＫＳを動作するようにした構成であってもよい。そうした場合に、プリント基板Ｐを配置する位置は鍵Ｋの直下に限らないことは言うまでもない。
なお、上述した実施例においては係止片Ａと支持部材Ｃとを別々に構成した例を示したが、この係止片Ａと支持部材Ｃとを一体的に構成してもよい。例えば、支持部材Ｃの上に係止片Ａを形成してもよい。すなわち、全体形状が凸状であって、その凸部を略Ｌ字形状に形成するようにするとよい。また、係止部Ａは上記したものに限らず、プリント基板Ｐを固定的に把持することのできるものであればどのようなタイプのものであってもよい。
なお、プリント基板Ｐの外形形状は図示したような長方形の形状に限らず、適宜の外形形状であってよい。こうした外形形状の異なるプリント基板Ｐであっても、本発明に係るプリント基板の取付構造によれば取り付け可能となるので有利である。
なお、少なくとも２箇所以上に係止片止め開口部Ｈを設けておき、プリント基板ＰをフレームＦに取り付ける際に、これら複数箇所で同時に挟持させるようにしてあってもよいし、電子鍵盤楽器の種類等に応じて複数箇所の中から任意の２箇所でのみ挟持させるようにしてあってもよい。
【００２５】
なお、上述した各実施例では電子鍵盤楽器における各鍵に対応して設けられているキースイッチを有したプリント基板の取付構造について説明したが、該プリント基板の取付構造を適用するものは鍵盤の押鍵動作を検知するものに限らないことは言うまでもない。すなわち、上述した各実施例に示したプリント基板の取付構造は、電子鍵盤楽器の鍵盤以外の各種操作子のスイッチ動作を検知するキースイッチを有するプリント基板の取付に適用してよい。
【図面の簡単な説明】
【００２６】
【図１】本発明に係る電子鍵盤楽器におけるプリント基板の取付構造の一実施例を示した概念図であり、図１（ａ）は鍵盤の全体構成を示した縦断側面図、図１（ｂ）はフレーム取付状態にあるプリント基板を示した上面図である。
【図２】位置決め孔を設けたプリント基板の一実施例を示す上面図である。
【図３】ボス部をフレームのリブに一体的に構成した場合の鍵盤の全体構成を示した概念図であり、図３（ａ）は縦断側面図、図３（ｂ）は正面図である。
【図４】電子鍵盤楽器における従来から知られたプリント基板の取付構造の一例を示す概念図であり、図４（ａ）は鍵盤の全体構成を示した縦断側面図、図４（ｂ）はフレーム取り付け時のプリント基板を示した上面図である。
【符号の説明】
【００２７】
Ａ…係止片、Ａａ…係止爪、Ｂ…ボス部、Ｃ…支持部材、Ｆ…フレーム、Ｈ…係止片止め開口部、Ｉ…位置決め孔、ＩＡ…位置決め片、Ｋ…鍵、Ｎ…ねじ、Ｎａ…螺子通し孔、Ｐ…プリント基板、Ｒ…リブ、Ｓ…基板接点部、Ｚ…回動支点、ＫＳ…操作子スイッチ（キースイッチ）
【図１】
2007010974.tif 000003
【図２】
2007010974.tif 000004
【図３】
2007010974.tif 000005
【図４】
2007010974.tif 000006